(57)【要約】【課題】  ムーンプール内における水面変動を低減すると共に、該水面変動による気泡の発生を回避して、該気泡の形成に伴う計測機器の機能への悪影響、船体壁における腐食等の不具合の発生を防止したムーンプール付き浮体構造物を提供する。【解決手段】  船体内にムーンプールを備えたムーンプール付き浮体構造物において、船体壁に該船体壁の周方向に沿って所定間隔で複数のブラケットを固着し、該複数のブラケットにより支持されたプレートを該船体壁の全周に亘って前記ムーンプール内に突設するとともに、該プレートの前記船体壁に近接する外周部または前記ムーンプール中央部寄りの内周部の何れか一方または双方に、該プレートの上部空間と下部空間とを連通する貫通部を該船体壁の全周に亘って設けたことを特徴とする。【選択図】    図１
2005199938.tif 000002
【特許請求の範囲】
【請求項１】
船体内に、筒状の船体壁に囲まれて船底から上甲板を貫く開放区画からなるムーンプールを備えたムーンプール付き浮体構造物において、前記船体壁に該船体壁の周方向に沿って所定間隔で複数のブラケットを固着し、該複数のブラケットにより支持された板状体からなるプレートを該船体壁の全周に亘って前記ムーンプール内に突設するとともに、該プレートの前記船体壁に近接する外周部または前記ムーンプール中央部寄りの内周部の何れか一方または双方に、該プレートの上部空間と下部空間とを連通する貫通部を該船体壁の全周に亘って設けたことを特徴とするムーンプール付き浮体構造物。
【請求項２】
前記複数ブラケットを前記船体壁に沿って所定間隔でかつ該船体壁に垂直方向に突設するとともに、各ブラケットの上部に前記プレートを固着して、該ブラケットを前記貫通部への水流の案内部材に兼用したことを特徴とする請求項１記載のムーンプール付き浮体構造物。
【請求項３】
前記プレートの内周部に前記船体壁と平行にかつ船底側へと延びる案内部材を固着するとともに、前記貫通部を前記プレートの外周部と前記船体壁との間または前記プレートの内周部と前記案内部材との間の何れか一方または双方に形成したことを特徴とする請求項１記載のムーンプール付き浮体構造物。
【請求項４】
前記プレートを、内周部よりも前記船体壁寄りの外周部が上方（前記上甲板側）になるように所定角度傾斜してなる傾斜プレートに構成して前記ブラケットに固着するとともに、前記貫通部をプレートの外周部と船体壁との間に形成したことを特徴とする請求項１記載のムーンプール付き浮体構造物。
【請求項５】
前記プレートを、内周部よりも前記船体壁寄りの外周部が下方（前記船底側）になるように所定角度傾斜してなる傾斜プレートに構成して前記ブラケットに固着するとともに、前記貫通部をプレートの外周部と船体壁との間に形成したことを特徴とする請求項１記載のムーンプール付き浮体構造物。
【請求項６】
前記傾斜プレートを前記船体壁の高さ方向に所定間隔を存して２段設けるとともに、前記２段の傾斜プレート間に該傾斜プレートの上部空間と下部空間とを連通する貫通部を設けたことを特徴とする請求項４記載のムーンプール付き浮体構造物。
【請求項７】
前記プレートを前記船体壁の高さ方向に所定間隔を存して２段配設して、該２段のプレートを前記複数のブラケットの上端面及び下端面に固着し、さらに前記貫通部を該２個のプレートの外周部と前記船体壁との間に形成したことを特徴とする請求項１記載のムーンプール付き浮体構造物。
【請求項８】
前記船体壁に突設されたプレートを、水平方向に一定間隔をおいて複数個列設するとともに鉛直方向に傾斜させて配置し、各プレート間に気泡通路を形成したことを特徴とする請求項１記載のムーンプール付き浮体構造物。
【請求項９】
前記プレートは、前記複数のブラケットへの固着部毎に前記船体壁側に突出して該船体壁に固着された張出部を備え、前記貫通部を前記プレートの各張出部と船体壁との間に複数個区画形成したことを特徴とする請求項１記載のムーンプール付き浮体構造物。
【発明の詳細な説明】
【技術分野】
【０００１】
本発明は、海底掘削船等に適用され、船体内に、筒状の船体壁に囲まれて船底から上甲板を貫く開放区画からなるムーンプールを備えたムーンプール付き浮体構造物に関する。
【背景技術】
【０００２】
海底掘削船など、海面上から海中に向かって作業を行う船舶や浮体構造物においては、船体の長手方向のほぼ中央部の船体内に、筒状の船体壁に囲まれて船底から上甲板を貫く開放区画からなるムーンプールを設け、該ムーンプールを通して種々の海中作業や計測を行うようになっている。
図１９はかかるムーンプールを備えた浮体構造物の１例を示し、同図において、１００は船体１０１の長手方向のほぼ中央部の内部に形成されたムーンプールで、筒状の船体壁１０３に囲まれて船底１１１から上甲板１１０を貫く開放区画に形成されている。
０３は前記船体壁１０３からムーンプール１００内に突設されたプレートで、該プレート０３は前記船体壁１０３の周方向に沿って該船体壁１０３の壁面に垂直に突設されている。
かかる浮体構造物においては、該プレート０３によってムーンプール１００内における水面１０２の変動を小さくしている。
尚、１０６はムーンプール１００周辺の船底１１１に取り付けられた計測機器である。
【０００３】
また、ムーンプールの船底側開口部における渦流の発生を抑制するようにしたムーンプール付き浮体構造物として、特許文献１（特開平８−１１９１９０号公報）の技術が提供されている。
かかる技術においては、ムーンプールの船底側開口部に、船体にヒンジを介して該開口部を開閉可能に枢着された蓋状構造体を設け、該蓋状構造体を多数の垂直板を格子状に組み合わせて形成し、該蓋状構造体により前記開口部における水の出入りを許容しながら渦流の発生を防止している。
【０００４】
【特許文献１】特開平８−１１９１９０号公報
【発明の開示】
【発明が解決しようとする課題】
【０００５】
図１９に示されるムーンプール付き浮体構造物にあっては、前記船体壁１０３の周方向に沿って該船体壁１０３の壁面に垂直に突設されたプレート０３によってムーンプール１００内における水面１０２の変動を小さくしているが、水面１０２の変動によって該プレート０３が空気中に露出し、あるいは該水面の極く近傍にきて空気を該プレート０３の下部の水中に吸い込むと、図１９に示されるように、該プレート０３の下部水中に気泡１０７が貯まり、船底部に取り付けられた計測機器１０６の機能に悪影響を及ぼすとともに、該気泡１０７の形成によって船体壁１０３の腐食が促進される虞がある。
【０００６】
また、前記特許文献１の技術にあっては、多数の垂直板を格子状に組み合わせて形成された蓋状構造体によりムーンプールの船底側開口部を開閉可能に構成されているが、該蓋状構造体は船底側に設けられているため、ムーンプール１００内水面１０２の変動の抑制効果はない。
【０００７】
従って、本発明はかかる従来技術の課題に鑑み、ムーンプール内における水面変動を低減すると共に、該水面変動による気泡の発生を回避して、該気泡の形成に伴う計測機器の機能への悪影響、船体壁における腐食等の不具合の発生を防止したムーンプール付き浮体構造物を提供することを目的とする。
【課題を解決するための手段】
【０００８】
本発明はかかる目的を達成するもので、  船体内に、筒状の船体壁に囲まれて船底から上甲板を貫く開放区画からなるムーンプールを備えたムーンプール付き浮体構造物において、前記船体壁に該船体壁の周方向に沿って所定間隔で複数のブラケットを固着し、該複数のブラケットにより支持された板状体からなるプレートを該船体壁の全周に亘って前記ムーンプール内に突設するとともに、該プレートの前記船体壁に近接する外周部または前記ムーンプール中央部寄りの内周部の何れか一方または双方に、該プレートの上部空間と下部空間とを連通する貫通部を該船体壁の全周に亘って設けたことを特徴とする。
かかる発明において、前記複数ブラケットを前記船体壁に沿って所定間隔でかつ該船体壁に垂直方向に突設するとともに、各ブラケットの上部に前記プレートを固着して、該ブラケットを前記貫通部への水流の案内部材に兼用するのがよい。
【０００９】
かかる発明によれば、船体壁の全周に亘ってムーンプール内に突設されたプレートの船体壁に近接する外周部またはムーンプール中央部寄りの内周部の何れか一方または双方に貫通部を設けたので、ムーンプール内の水面変動によって生起される水流が該貫通部を通って該プレートの上部空間と下部空間の間を往復することによってダンピング作用が発生し、該ダンピング作用によって水面変動が低減される。
また、前記水面変動によって、前記プレートが空気中に露出されあるいは該水面の極く近傍に来ることにより、空気が該プレートの下部空間の水中に吸い込まれて気泡が貯まっても、該気泡は前記貫通部を通ってプレートの上部空間へと抜け出すこととなり、該下部空間の水中における気泡の滞留が回避される。
従って、かかるプレート下部空間の水中における気泡の滞留が回避されることにより、該気泡による計測機器の機能への悪影響、船体壁の腐食の促進、等の不具合の発生を防止できる。
【００１０】
また、複数ブラケットを船体壁に沿って所定間隔でかつ該船体壁に垂直方向に突設し、各ブラケットの上部にプレートを固着して、該各ブラケットを貫通部への水流の案内部材に兼用したので、前記プレートの下部空間水中に貯まった気泡は前記各ブラケットの板面に案内されてスムーズに貫通部へと流入し、該貫通部からプレートの上部空間へと抜け出すことができる。これにより、前記下部空間の水中に貯まった気泡を確実に上部空間へと導くことができる。
【００１１】
また、かかる発明において好ましくは、前記プレートの内周部に前記船体壁と平行にかつ船底側へと延びる案内部材を固着するとともに、前記貫通部を前記プレートの外周部と前記船体壁との間または前記プレートの内周部と前記案内部材との間の何れか一方または双方に形成する。
このように構成すれば、プレートの内周部つまりムーンプール中央部寄りの内周部に設けた船体壁と平行な案内部材によって、プレートの下部空間における該案内部材の内側及び外側の気泡を含む水流が、該案内部材に案内されてから貫通部を通りプレートの上部空間へと円滑に抜け出すことができる。
【００１２】
また、かかる発明において好ましくは、前記プレートを、内周部よりも前記船体壁寄りの外周部が上方（前記上甲板側）になるように所定角度傾斜してなる傾斜プレートに構成して前記ブラケットに固着するとともに、前記貫通部をプレートの外周部と船体壁との間に形成する。
あるいは、前記プレートを、内周部よりも前記船体壁寄りの外周部が下方（前記船底側）になるように所定角度傾斜してなる傾斜プレートに構成して前記ブラケットに固着するとともに、前記貫通部をプレートの外周部と船体壁との間に形成する。
このように構成すれば、プレートの下部空間の気泡を含む水流が、船体壁寄りの外周部が上方あるいは下方になるように傾斜して設けられたプレートの傾斜面に案内されて上方へと滑らかに流れて貫通部を通り、プレートの上部空間へと抜け出すことができる。
【００１３】
また、かかる発明において好ましくは、前記傾斜プレートを前記船体壁の高さ方向に所定間隔を存して２段設けるとともに、前記２段の傾斜プレート間に該傾斜プレートの上部空間と下部空間とを連通する貫通部を設ける。
このように構成すれば、プレートの下部空間の気泡を含む水流が、２段の傾斜プレート間の貫通部を通り、プレートの傾斜面に案内されてプレートの上部空間へと抜け出すことができる。
【００１４】
また、かかる発明において好ましくは、前記プレートを前記船体壁の高さ方向に所定間隔を存して２段配設して、該２段のプレートを前記複数のブラケットの上端面及び下端面に固着し、さらに前記貫通部を該２個のプレートの外周部と前記船体壁との間に形成する。
このように構成すれば、ムーンプール内の水面変動によって発生するムーンプール内の水流が前記２段のプレートの間に形成された容積部に溜められることによってダンピング作用がなされ水面変動が低減される。
また、かかる発明において好ましくは、前記船体壁に突設されたプレートを、水平方向に一定間隔をおいて複数個列設するとともに鉛直方向に傾斜させて配置し、各プレート間に気泡通路を形成する。
このように構成すれば、水中の気泡Ｓを前記複数の気泡通路を通して、容易に上方に抜き出すことができる。
【００１５】
また、かかる発明において好ましくは、前記プレートは、前記複数のブラケットへの固着部毎に前記船体壁側に突出して該船体壁に固着された張出部を備え、前記貫通部を前記プレートの各張出部と船体壁との間に複数個区画形成する。
このように構成すれば、プレートに、複数のブラケットへの固着部毎に張出部を設けたので、気泡を含む水流が通流する貫通部を確保しつつ、プレートの強度を向上することができる。
【発明の効果】
【００１６】
本発明によれば、船体壁の全周に亘ってムーンプール内に突設されたプレートの船体壁に近接する外周部またはムーンプール中央部寄りの内周部の何れか一方または双方に貫通部を設けたので、ムーンプール内の水面変動によって生起される水流が貫通部を通って該プレートの上部空間と下部空間の間を往復することによってダンピング作用が発生し、該ダンピング作用によって水面変動が低減される。
【００１７】
また、前記プレートの下部空間の水中に貯まった気泡が前記貫通部を通ってプレートの上部空間へと容易に抜け出すことにより、該下部空間の水中に気泡が滞留するのを回避でき、従って、かかるプレート下部空間の水中における気泡の滞留が回避されることにより、該気泡による計測機器の機能への悪影響、船体壁の腐食の促進、等の不具合の発生を防止できる。
【発明を実施するための最良の形態】
【００１８】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１９】
図１は本発明の実施例に係るムーンプール付き浮体構造物の全体構成を示す概略側面図、図２〜図４はムーンプールにおけるプレート及びブラケットの第１例を示し、図２はムーンプールの平面図（図１のＡ−Ａ矢視図）、図３は前記プレート及びブラケットの側面形状を示す図２のＢ−Ｂ矢視図、図４は図３のＷ矢視図、図５はムーンプールの背面図である。図６は前記プレート及びブラケットの第２例を示す図３対応図、図７は図６のＵ矢視図である。
図８は前記プレート及びブラケットの第３例を示す図３対応図、図９は前記プレート及びブラケットの第４例を示す図３対応図である。図１０は前記プレート及びブラケットの第５例を示す図３対応図、図１１は前記プレート及びブラケットの第６例を示す図３対応図である。図１２は前記プレート及びブラケットの第７例を示す図３対応図、図１３は前記プレート及びブラケットの第８例を示す図３対応図である。図１４は前記プレート及びブラケットの第９例を示すムーンプールの概略側面図である。図１５（Ａ）は前記プレート及びブラケットの第１０例を示すムーンプールの概略要部平面図、（Ｂ）は（Ａ）におけるＺ矢視図である。図１６は前記プレート及びブラケットの第１１例を示す図１５におけるＺ矢視図である。図１７は前記プレート及びブラケットの第１２例を示すムーンプールの平面図（図１のＡ−Ａ矢視図）、図１８は前記第１２例におけるプレート及びブラケットの側面形状を示す図１７のＣ−Ｃ矢視図である。
【００２０】
本発明の実施例に係るムーンプール付き浮体構造物を示す図１において、１０１は船体、１００は該船体１０１の長手方向におけるほぼ中央部の内部に形成されたムーンプールである。該ムーンプール１００は、筒状の船体壁１０３に囲まれて船底１１１から上甲板１１０を貫く開放区画に形成されている。１０２は水面、１０６はムーンプール１００周辺の船底１１１に取り付けられた計測機器である。
１は前記船体壁１０３からムーンプール１００内に水平に突設されたプレート、２は該プレート１を支持するブラケット、３は該プレート１に開設された外周貫通部で、これらの詳細は後述する。４は前記プレート１の間に形成されるムーンプールの中央貫通部である。
【００２１】
前記ムーンプール１００におけるプレート及びブラケットの第１例を示す図２〜図４において、１は板材からなるプレート、２は板材からなる複数のブラケットで、図２に示されるように、各ブラケット２は前記船体壁１０３の周方向に沿って等間隔（不等間隔でもよい）に、かつ該船体壁１０３の壁面に垂直にかつ鉛直上下方向に延びて突設されている。１ｊは前記プレート１の下部のブラケット２の中央部側に固定された案内部材である。
また前記プレート１は前記船体壁１０３の周方向に沿って配設されるとともに、図３のように、前記各ブラケット２の上端面に溶接によって固着、支持されている。
そして、前記プレート１の前記船体壁１０３に近接する外周部には、前記貫通部３が船体壁１０３の全周に亘って開設され、該貫通部３により前記プレート１の上部空間１ａと下部空間１ｂとを連通している。
【００２２】
かかる実施例において、ムーンプール１００内の水面１０２に水面変動が発生すると、該水面変動によって生起される水流が前記プレート１の貫通部３を通って、該プレート１の上部空間１ａと下部空間１ｂの間を往復する。かかる貫通部３を介しての水流の往復動によってダンピング作用が発生し、該ダンピング作用によって前記ムーンプール内水面１０２の水面変動が低減される。
また、前記水面変動によって、前記プレート１がムーンプール１００内において空気中に露出されあるいは前記ムーンプール内の水面１０２の極く近傍に来ることにより、ムーンプール内の空気が該プレート１の下部空間１ｂの水中に吸い込まれて、該下部空間１ｂの水中に気泡が貯まるような事態となっても、該気泡は前記貫通部３を通ってプレート１の上部空間１ａへと抜け出し、該下部空間１ｂの水中に滞留することはない。
従って、前記下部空間１ｂの水中における気泡の滞留による計測機器１０６の機能低下の悪影響が回避されるとともに、該気泡の滞留による船体壁１０３の腐食の発生を防止できる。
【００２３】
また、前記複数のブラケット２を船体壁１０３の周方向に沿って所定間隔でかつ該船体壁１０３の壁面に垂直に突設して、各ブラケット２を前記貫通部３への水流の案内部材に兼用するように構成したので、前記水面変動等に伴い下部空間１ｂの水中に貯まった気泡は前記各ブラケット２の板面に案内されてスムーズに貫通部３へと流入し、該貫通部３を通ってプレート１の上部空間１ａへと抜け出すことができる。これにより、下部空間１ｂの水中に貯まった気泡を確実に上部空間１ａへと導くことができる。
【００２４】
前記プレート及びブラケットの第２例を示す図６及び図７においては、前記第１例における案内部材１ｊを、プレート１の上部及び下部のブラケット２の中央部側に固定している。
前記プレート及びブラケットの第３例、第４例及び第５例を示す図８、図９及び図１０においては、前記第１例と同様に、船体壁１０３の周方向に沿って等間隔（不等間隔でもよい）に、かつ該船体壁１０３の壁面に垂直に突設されたブラケット２の上端面にプレート１を溶接により固着するとともに、該ブラケット２の側端面に前記船体壁１０３と平行にかつ船底側１１１（図１参照）へと延びる案内部材０１ａを溶接により固着している。
そして第３例においては、図８に示されるように、前記貫通部３を、プレート１の船体壁１０３に近接する外周部に該船体壁１０３の全周に亘って開設して、該貫通部３により前記プレート１の上部空間１ａと下部空間１ｂとを連通している。
また第４例においては、図９に示されるように、該プレート１の内周部の案内部材０１ａ側に内周貫通部３ａを該船体壁１０３の全周に亘って開設し、該内周貫通部３ａにより前記プレート１の上部空間１ａと下部空間１ｂとを連通している。
【００２５】
また第５例においては、図１０に示されるように、前記貫通部３をプレート１の船体壁１０３に近接する外周部に該船体壁１０３の全周に亘って開設するとともに、該プレート１の内周部の案内部材０１ａ側に内周貫通部３ａを該船体壁１０３の全周に亘って開設し、該貫通部３及び内周貫通部３ａにより前記プレート１の上部空間１ａと下部空間１ｂとを連通している。図８ないし図１０において、１０１は船体である。
【００２６】
かかる第３例ないし第５例によれば、プレート１の内周部つまりムーンプール１００の中央貫通部４（図１参照）寄りの内周部に設けた前記案内部材０１ａによって、プレート１の下部空間１ｂにおける、該案内部材０１ａの内側及び外側に貯まった気泡を含む水流が、該案内部材０１ａに案内されてから前記外周側の貫通部３を通り（第３例）、あるいは内周貫通部３ａを通り（第４例）、あるいは外周側の貫通部３及び内周貫通部３ａを通り（第５例）、プレート１の上部空間１ａへと円滑に抜け出すことができる。
【００２７】
前記プレート及びブラケットの第６例を示す図１１においては、船体壁１０３の周方向に沿って等間隔（不等間隔でもよい）に、かつ該船体壁１０３の壁面に垂直に突設されたブラケット２の上端面に、プレート１ｃを、内周部よりも前記船体壁１０３寄りの外周部が上方（図１に示す上甲板１１０側）になるように所定角度α傾斜してなる傾斜プレートに形成して溶接により固着するとともに、前記貫通部３をプレート１ｃの外周部と船体壁１０３との間に形成している。１０１は船体である。
また、前記プレート及びブラケットの第７例を示す図１２においては、前記プレート１ｃを前記第６例とは逆に、内周部よりも前記船体壁１０３寄りの外周部が下方になるように所定角度α傾斜してなる傾斜プレートに形成している。
かかる第６例及び第７例によれば、前記プレート１ｃの下部空間１ｂにおける気泡を含む水流が、船体壁１０３寄りの外周部が上方（第６例）あるいは下方（第７例）になるように傾斜して設けられた該プレート１ｃの傾斜面に案内されて上方へと滑らかに流れて貫通部３を通り、該プレート１ｃの上部空間１ａへと抜け出すことができる。
【００２８】
前記プレート及びブラケットの第８例を示す図１３においては、船体壁１０３の周方向に沿って等間隔（不等間隔でもよい）に、かつ該船体壁１０３の壁面に垂直に突設されたブラケット２の上端面に、前記第６例（図１１）と同様に、内周部よりも前記船体壁１０３寄りの外周部が上方（図１に示す上甲板１１０側）になるように所定角度α１及びα２傾斜してなるプレート１ｃ及び１ｄを、前記船体壁１０３の高さ方向に所定間隔を存して２段設けている。
そして、前記貫通部３をプレート１ｃの外周部と船体壁１０３との間に形成し、さらに前記２段のプレート１ｃと１ｄとの間にプレート１ｃ及び１ｄの上部空間１ａと下部空間１ｂとを連通する内部貫通部３ｂを形成する。１０１は船体である。
かかる第８例によれば、プレート１ｃ及び１ｄの下部空間１ｂにおける気泡を含む水流が、２段のプレート１ｃ、１ｄ間の内部貫通部３ｂを通り、プレート１ｃの下側傾斜面に案内されて、前記貫通部３を通ってプレート１ｃの上部空間１ａへと滑らかに抜け出すことができる。
【００２９】
前記プレート及びブラケットの第９例を示す図１４においては、船体壁１０３の周方向に沿って等間隔（不等間隔でもよい）にかつ該船体壁１０３の壁面に垂直に突設されたブラケット２を設け、２段のプレート１ｆ（上部プレート）及び１ｅ（下部プレート）を前記船体壁１０３の高さ方向に所定間隔を存して配設して、該２段のプレート１ｆ及び１ｅを前記複数のブラケット２の上端面及び下端面に固着している。
さらに該上下２段のプレート１ｆ及び１ｅの外周部と前記船体壁１０３との間に、貫通部３及び３ｃをそれぞれ形成する。
かかる第９例によれば、ムーンプール１００内の水面変動によって発生するムーンプール内の水流が前記２個のプレートの間に形成された容積部に溜められることによってダンピング作用がなされ、水面変動が低減される。図１４において１０４は船底である。
【００３０】
図１５（Ａ）、（Ｂ）に示す前記プレート及びブラケットの第１０例においては、船体壁１０３に突設されたプレート５１を、図１５（Ｂ）のように、水平方向に一定間隔をおいて複数個列設するとともに、各プレート５１を鉛直方向に互い違いに傾斜させて配置し、各々プレート５１間に気泡通路５２を形成している。
また、図１６に示す前記プレート及びブラケットの第１１例においては、船体壁１０３に突設されたプレート５１を、水平方向に一定間隔をおいて複数個列設するとともに、各プレート５１を鉛直方向に平行に傾斜させて配置し、各々プレート５１間に気泡通路５２を形成している。
かかる第１０例及び第１１例によれば、水中の気泡Ｓを複数の前記気泡通路５２を通して、上方に抜き出すことができる。
【００３１】
図１７〜図１８に示すプレート及びブラケットの第１２例においては、船体壁１０３の周方向に沿って等間隔（不等間隔でもよい）にかつ該船体壁１０３の壁面に垂直に突設されたブラケット２を設けて、各ブラケット２の上端部に前記船体壁１０３の周方向に沿ってプレート１ｇを溶接によって固着している。そして、図１７に示すように、該プレート１ｇに、前記複数のブラケット２への固着部毎に前記船体壁１０３側に突出した張出部１ｈを形成し、該張出部１ｈの先端面を該船体壁１０３に固着し、前記プレート１ｇの各張出部１ｈと船体壁１０３との間に複数個の貫通部３を区画形成している。図１７において４は中央貫通部、図１８において１０１は船体である。
かかる第１２例によれば、プレート１ｇに、複数のブラケット２への固着部毎に張出部１ｈを設けたので、気泡を含む水流が通流できる貫通部３を確保しつつ、プレート１ｇの強度を向上できる。
【産業上の利用可能性】
【００３２】
本発明によれば、ムーンプール内における水面変動による気泡の発生を回避して、該気泡の形成に伴う計測機器の機能への悪影響、船体壁における腐食等の不具合の発生を防止したムーンプール付き浮体構造物を提供できる。
【図面の簡単な説明】
【００３３】
【図１】本発明の実施例に係るムーンプール付き浮体構造物の全体構成を示す概略側面図である。
【図２】前記実施例におけるプレート及びブラケットの第１例を示すムーンプールの平面図（図１のＡ−Ａ矢視図）である。
【図３】前記第１例におけるプレート及びブラケットの側面形状を示す図２のＢ−Ｂ矢視図である。
【図４】図３のＷ矢視図である。
【図５】ムーンプールの背面図である。
【図６】前記プレート及びブラケットの第２例を示す図３対応図である。
【図７】図６のＵ矢視図である。
【図８】前記プレート及びブラケットの第３例を示す図３対応図である。
【図９】前記プレート及びブラケットの第４例を示す図３対応図である。
【図１０】前記プレート及びブラケットの第５例を示す図３対応図である。
【図１１】前記プレート及びブラケットの第６例を示す図３対応図である。
【図１２】前記プレート及びブラケットの第７例を示す図３対応図である。
【図１３】前記プレート及びブラケットの第８例を示す図３対応図である。
【図１４】前記プレート及びブラケットの第９例を示すムーンプールの概略側面図である。
【図１５】（Ａ）は前記プレート及びブラケットの第１０例を示すムーンプールの概略要部平面図、（Ｂ）は（Ａ）におけるＺ矢視図である。
【図１６】前記プレート及びブラケットの第１１例を示す図１５におけるＺ矢視図である。
【図１７】前記プレート及びブラケットの第１２例を示すムーンプールの平面図（図１のＡ−Ａ矢視図）である。
【図１８】前記第１２例におけるプレート及びブラケットの側面形状を示す図１７のＣ−Ｃ矢視図である。
【図１９】従来技術を示す図１対応図である。
【符号の説明】
【００３４】
１、１ｃ、１ｄ、１ｅ、１ｆ、１ｇ    プレート
１ａ    上部空間
１ｂ    下部空間
１ｈ    張出部
０１ａ、１ｊ    案内部材
２    ブラケット
３    貫通部
３ａ    内周貫通部
３ｂ    内部貫通部
３ｃ    貫通部
４    中央貫通部
１００    ムーンプール
１０１    船体
１０２    水面
１０３    船体壁
１０６    計測機器
１１０    上甲板
１１１    船底
【図１】
2005199938.tif 000003
【図２】
2005199938.tif 000004
【図３】
2005199938.tif 000005
【図４】
2005199938.tif 000006
【図５】
2005199938.tif 000007
【図６】
2005199938.tif 000008
【図７】
2005199938.tif 000009
【図８】
2005199938.tif 000010
【図９】
2005199938.tif 000011
【図１０】
2005199938.tif 000012
【図１１】
2005199938.tif 000013
【図１２】
2005199938.tif 000014
【図１３】
2005199938.tif 000015
【図１４】
2005199938.tif 000016
【図１５】
2005199938.tif 000017
【図１６】
2005199938.tif 000018
【図１７】
2005199938.tif 000019
【図１８】
2005199938.tif 000020
【図１９】
2005199938.tif 000021